(57)【特許請求の範囲】
【請求項１】
ハンドルで回転操作される回転駆動軸とリール本体との間に一方向の回転を許容し他方の回転を阻止する転がり式一方向クラッチを設けて前記回転駆動軸の逆転を防止するようにした魚釣用リールの逆転防止装置において、前記転がり式一方向クラッチを構成する転がり部材を挿入保持する環状保持部材に取り付けた別体の切換え用レバーを、前記リール本体に支持した切換え部材の作動部に係合せしめ、該切換え部材を回転操作することによって前記環状保持部材を回転させて、前記転がり式一方向クラッチの動作状態を、楔作用する作動状態と楔作用しない非作動状態とに切換可能とし、前記転がり式一方向クラッチを構成する外輪に、回り止め部材係着用係止部を設け、この係止部に回り止め部材を係着すると共に、前記回り止め部材を前記リール本体に固定し、前記回り止め部材を介して前記一方向クラッチの外輪をリール本体に対して回り止め固定するようにしたことを特徴とする魚釣用リールの逆転防止装置。
【発明の詳細な説明】
【０００１】
【発明の属する技術分野】
本発明は、一方向クラッチを組み込んで回転駆動軸の逆転防止機能を持たせた魚釣用リールに係り、特にリール本体に対する一方向クラッチの取付け構造に着目した魚釣用リールの逆転防止装置に関する。
【０００２】
【従来の技術】
魚釣用リールにおいては、ハンドルに連動して回転する駆動軸筒の逆転防止装置が組み込まれている。この逆転防止装置として魚釣り操作時の逆転遊度を少なくしてフッキング操作の確実性の向上を図るために転がり式の一方向クラッチを採用したものが、実開平７−１３１６１号公報、実開平７−１８５６８号公報、及び実開平６−５４６７号公報等で提案されている。
【０００３】
【発明が解決しようとする課題】
実開平７−１３１６１号公報、及び実開平７−１８５６８号公報に開示されている魚釣用リールにおいての一方向クラッチは、リール本体に対しての取付け構造として、一方向クラッチを構成する外輪の外周を断面非円形状に形成すると共に、この外輪を嵌め込むリール本体の支持部内周も同形状の断面非円形状に形成し、支持部内周に外輪を嵌め込むことによりリール本体の支持部に一方向クラッチを回り止め嵌合するようにしている。しかしながら、この回り止め嵌合方式の取付け構造において、異形状に形成した外輪の外周と支持部の内周を駆動軸に対する同心度を確保しながらガタツキ無く固く取り付けることは、一方向クラッチの外輪の外周部分、及びリール本体における支持部の内周の非円形部分をそれぞれ高精度で加工しなければならず、高精度の加工が求められる。しかし、その加工が困難である。また、製品コストが嵩む原因になっていた。また、実際には嵌合部分にはガタが発生し易く、転がり式一方向クラッチのクサビ作用による逆転遊度の少ない逆転防止機能が得られにくかった。
【０００４】
リール本体の支持部内に一方向クラッチの外輪を強く圧入して嵌合すると、互いに嵌合する内外周面が断面非円形状であることから異常な変形を招き、しかも、その嵌合部間に加工誤差があると、強く圧入する程、その誤差に追従して大きく偏心する結果、リール本体の支持部に組み付けられる一方向クラッチの中心がずれる傾向があり、駆動軸に対するの同心度が損なわれ易い。これにより駆動軸の回転が重くなったり一方向クラッチのクサビ作用が損なわれてしまう等の問題があった。従来、リール本体は軽量化のために樹脂で形成されることが多いが、この場合にはその嵌合受け部が柔らかいため、逆転防止時の強い負荷、衝撃により嵌合部分に変形や摩耗が生じ、いわゆるガタツキが生まれて、逆転防止装置が早期に機能しなくなる虞があった。この回り止め係合部分の補強のために一方向クラッチの外輪等を大径化すると、リール全体も大型化するので好ましくない。
【０００５】
実開平６−５４６７号公報の魚釣用リールにあっては転がり式一方向クラッチの、リール本体への嵌合精度の向上を図るため、一方向クラッチの外輪外周を断面円形状に形成する一方、該一方向クラッチの外輪の端面に形成した凸部や凹部からなる係止部を、リール本体の突当て端面に形成した係止部受けに係合して外輪の回り止め機能を持たせたものである。この方式では転がり式一方向クラッチのリール本体への芯出し精度の向上は期待できるが、一方向クラッチの円筒状外輪の端面に形成した凸部や凹部からなる係止部分には逆転防止時の強い負荷、衝撃が直接に加わるので、その係合する部分の両者には変形や破損及び摩耗等が起こり易く、早期に遊びが生じて、転がり式一方向クラッチの、いわゆるクサビ作用による逆転遊度の少ない逆転防止機能が得られにくくなる。この場合、特にリール本体を軽量化させるために樹脂で形成されている場合、その係合部分も柔らかくなってその係合部分の変形や摩耗が一層、著しく、逆転防止装置が、かなり早期に機能しなくなる虞がある。また、この回り止め係合部分の補強のために一方向クラッチ部品を大径化すると、リール全体も大型化するので好ましくない。
【０００６】
本発明は前記課題に着目してなされたもので、その目的とするところは、リール本体の支持部に対する一方向クラッチの外輪に位置決め取付け部に負担をかけずに別の回り止め部材で一方向クラッチの外輪の回り止めを行い、組み付けの正確度を高め、作業性を向上し、さらに高精度の逆転防止機能を奏するようにした魚釣用リールの逆転防止装置を提供することにある。
【０００７】
【課題を解決するための手段】
前記課題を解決するために、本発明によると、ハンドルで回転操作される回転駆動軸とリール本体との間に一方向の回転を許容し他方の回転を阻止する転がり式一方向クラッチを設けて前記回転駆動軸の逆転を防止するようにした魚釣用リールの逆転防止装置において、前記転がり式一方向クラッチを構成する転がり部材を挿入保持する環状保持部材に取り付けた別体の切換え用レバーを、前記リール本体に支持した切換え部材の作動部に係合せしめ、該切換え部材を回転操作することによって前記環状保持部材を回転させて、前記転がり式一方向クラッチの動作状態を、楔作用する作動状態と楔作用しない非作動状態とに切換可能とし、前記転がり式一方向クラッチを構成する外輪に、回り止め部材係着用係止部を設け、この係止部に回り止め部材を係着すると共に、前記回り止め部材を前記リール本体に固定し、前記回り止め部材を介して前記一方向クラッチの外輪をリール本体に対して回り止め固定するようにした魚釣用リールの逆転防止装置が提供される。
【００１０】
【発明の実施の形態】
以下、図示の実施形態によって本発明の実施形態を説明する。図１乃至図６は本発明の第１実施形態に係る魚釣用スピニングリールを示すものである。
【００１１】
図１及び図２で示す如く、魚釣用スピニングリールのリール本体１は上方に延びたロッド取付け脚１ａを備えてなり、リール本体１の下部中央には前側に位置して円筒状の支持部１ｂが形成されている。この支持部１ｂ内には転がり軸受からなる軸受３と、転がり式一方向クラッチ４が同軸的に軸方向に並んで嵌め込まれている。図３で示すように、軸受３の外輪３ａと転がり式一方向クラッチ４の外輪４ａとはそれらの外周面部３ｂ，４ｂを支持部１ｂの内周面に接合させることにより支持部１ｂに嵌合固定されている。軸受３の外輪３ａと内輪３ｃの間には転がりボール３ｄが嵌め込まれている。軸受３はメタル軸受や合成樹脂軸受としてもよい。また、後述する如く、軸受３における外輪３ａの後端は支持部１ｂの後端に形成した度当り部１ｃに当たりこれにより軸受３の後方への抜け止めがなされている。また、軸受３と一方向クラッチ４の前方への抜け止めは後で述べる回り止め部材５によってなされる。
【００１２】
支持部１ｂにはその軸受３と一方向クラッチ４を介在して駆動筒軸（回転駆動軸）６が回転自在に支持されている。この駆動筒軸６の基端部付近における前側部分には一体的に歯部６ａと度当り部６ｂが形成され、度当り部６ｂには軸受３の内輪３ｃの端面が度当り当接されている。駆動筒軸６の前端部外周には軸受３の内輪３ｃの前側に一方向クラッチ４の内輪４ｃが、例えばスプライン嵌合により軸方向移動可能に回り止め被嵌され、一体的に連結されている。さらに駆動筒軸６の、一方向クラッチ４よりも前端側外周にはロータ７の中心筒部７ａが回り止め嵌合されており、中心筒部７ａは駆動筒軸６の最前端部に螺合されたナット８で取付け固定されている。そして、駆動筒軸６の度当り部６ｂとナット８の間で、軸受３の内輪３ｃと、一方向クラッチ４の内輪４ｃと、ロータ７の中心筒部７ａのボス部分とを軸方向に挟み込み、それらを挟着支持するようにしている。
【００１３】
駆動筒軸６の歯部６ａには駆動歯車９が噛合されている。駆動歯車９はリール本体１に軸支されたハンドル１１によって回転操作されるようになっている。  前記駆動筒軸６の中心孔には、駆動筒軸６から動きが独立したスプール軸１２が前後往復動可能に挿入され、このスプール軸１２の先端部には巻取り用スプール１３が取り付けられている。巻取り用スプール１３はドラグ機構１４を介してスプール軸１２に連結されている。巻取り用スプール１３は通常、ドラグ機構１４の摩擦力でスプール軸１２に摩擦結合されて回転しないが、スプール１３に所定以上の巻取り負荷が加わると、スプール１３が空転するようになっている。
【００１４】
スプール軸１２の後端部にはそのスプール軸１２を前後に移動させる往復動装置部１５が連結されている。この往復動装置１５は釣糸巻取り時において前述した駆動歯車９に連設した小歯車９ａの回転を受けて連動し、スプール軸１２をスプール１３と共に前後に往復動させて、釣糸巻取り時においての、いわゆるオシレーティング動作を行わせるようになっている。なお、リール本体１の後部はキャップ１６によって覆われている。
【００１５】
前記ロータ７には一対のベール支持腕７ｂ，７ｃが設けられており、一方のベール支持腕７ｂの先端部にはベール支持部材１７が設けられ、他方のベール支持腕７ｃにはもう１つのベール支持部材１８が設けられている。ベール支持部材１７，１８にはベール１９が架設されている。そして、ベール支持部材１７，１８はベール１９と一体的に回動し、ベール１９を釣糸巻取位置と釣糸放出位置のいずれかに反転自在に軸承されている。一方のベール支持部材１７には釣糸案内用ローラ２１を回転自在に保持するローラ取付け部２２が支持されている。
【００１６】
次に、転がり式一方向クラッチ４の構造について具体的に説明する。この一方向クラッチ４は外輪４ａと、内輪４ｃと、この内輪４ｃの外周に載せられた複数個の棒状の転がり部材４ｄと、この転がり部材４ｄを保持する環状保持部材（保持器）４ｅと、図示しない発条とによって構成されている。環状保持部材４ｅは複数個の貫通孔（図示せず）を有し、これらの貫通孔内に前記転がり部材４ｄを挿入保持する。発条は転がり部材４ｄを係合方向へ押圧付勢するものである。また、図５で示すように外輪４ａの内周面には棒状転がり部材４ｄの自由回転域αと棒状の転がり部材４ｄが当接されて回転が阻止される阻止面βが構成されている。環状保持部材４ｅは棒状転がり部材４ｄを自由回転域αに位置させて正逆回転許容状態と、棒状転がり部材４ｄを阻止面βの領域に位置させて逆回転防止状態とを切り換えるものであり、環状保持部材４ｅには切換え用レバー４ｆが設けられている。
【００１７】
このレバー４ｆは外輪４ａに切り欠いて形成した透孔４ｈを通じて外輪４ａの外側へ突き出し、さらに支持部１ｂの上外側部分まで突き出している。レバー４ｆの突出し端部には長孔からなる係合部４ｉが形成されている。このレバー４ｆの係合部４ｉには回動する円板状の切換え部材２５に固定されたピンからなる作動部２６が嵌め込み係合されている。切換え部材２５はデットポイントを作り出すトグルバネを連結するなどにより２つの切換え位置の一方を択一的に選択するようになっている。また、切換え部材２５の位置を選択する操作は前記リール本体１の背面部に取り付けられた操作ノブ２７により回動操作される操作杆２８を介して切換え部材２５を回転して行われ、前記一方向クラッチ４の動作状態を、逆転防止位置か正逆回転許容位置かに切り換えるようになっている。
【００１８】
次に、リール本体１の支持部１ｂに転がり式一方向クラッチ４を取り付ける構造について具体的に説明する。
リール本体１の筒状の支持部１ｂには、その外側端に位置して前記転がり式一方向クラッチ４を嵌め込む第１の嵌合孔３１が形成され、その奥側には前記軸受３を嵌め込む第２の嵌合孔３２が形成されている。第１の嵌合孔３１と第２の嵌合孔３２は同軸的で軸方向に並んで形成されると共に、第１の嵌合孔３１の径は第２の嵌合孔３２の径より大きく形成されている。
【００１９】
第１の嵌合孔３１内に嵌め込まれる一方向クラッチ４の外輪４ａは金属製であって、後端（奥端）につば部を形成した筒状に形成され、前端（外端）が円形に開口している。一方向クラッチ４の外輪４ａはそのつば部を軸受３の外輪３ａに突き当て接合させて第１の嵌合孔３１内に嵌め込まれている。
【００２０】
一方向クラッチ４の外輪４ａの外周は非円形に形成されている。例えば、図５で示すように、外輪４ａの外周面は歯状部が丸みのある鋸歯状に形成され、かつ、そのピッチ及び山と谷の寸法が均一に形成されている。また、外輪４ａの外周が非円形であっても、そのピッチ毎の形状は外輪４ａの軸を中心とする点対称的に同じ形で形成されている。
【００２１】
一方、この外輪４ａの外周面部を嵌め込む第１の嵌合孔３１の内周も非円形に形成されている。この第１の嵌合孔３１の内周面は前記一方向クラッチ４の外輪４ａの外周面に合わせて丸みのある逆鋸歯状に形成され、かつそのピッチ及び山と谷の寸法も均一に形成されている。しかし、そのピッチは一方向クラッチ４の外輪４ａのピッチの倍である。そして、第１の嵌合孔３１の内周面の谷部に一方向クラッチ４の外輪４ａの山部を合わせて比較的密に両者をかみ合わせて図４で示す如く非回転状態に嵌合させてある。
【００２２】
また、一方向クラッチ４の外輪４ａの前端における開口部内には回り止め部材５のリング部５ａが嵌め込まれている。回り止め部材５は図５（ｂ）で示すように、そのリング部５ａから、支持部１ｂの前端面に達する長さの複数の取付け片５ｂを外方に向けて突き出し形成したものである。ここでの回り止め部材５は対称的に配置した２つの取付け片５ｂを備える。各取付け片５ｂの先端部には取付け孔５ｃが形成されている。回り止め部材５は例えば金属製板部材を打ち抜いて板状に作られている。
【００２３】
一方向クラッチ４の外輪４ａの開口端縁にはその回り止め部材５の取付け片５ｂにそれぞれ対応してその取付け片５ｂを嵌め込み係合する複数の係止溝４ｇが形成されている。係止溝４ｇは取付け片５ｂの幅に合わせて形成され、取付け片５ｂを密に嵌め込み係合させるようになっている。ここでの係止溝４ｇは回り止め部材５の取付け片５ｂを係着する係合部を構成している。
【００２４】
一方向クラッチ４の外輪４ａの外周縁部の軸方向外方よりその前端開口部内に回り止め部材５のリング部５ａを嵌め込むと共に、取付け片５ｂを係止溝４ｇに嵌め込み、取付け片５ｂの先端部を支持部１ｂの前端面に接合する。そして、取付け孔５ｃに固定ねじ２９を通し、この固定ねじ２９を支持部１ｂの部分にねじ込み、固定ねじ２９の頭部で取付け片５ｂを押さえて支持部１ｂに回り止め部材５を取着固定することにより一方向クラッチ４の抜け止めと、外輪４ａの回り止めの両方を確実に行うようになっている。支持部１ｂの前端部分には図６で示す如く、取付け片５ｂの先端部を当接する２つの受部３０が形成されている。受部３０は取付け片５ｂの先端部を密に嵌め込む係合用溝でもよいが、ここでは回り止め部材５が逆転防止時に一方向クラッチ４の外輪４ａから受ける回転力の向き側に位置して回り止め用突起３０ａを突設し、取付け片５ｂの先端部を受け止めるようになっている。
【００２５】
そして、支持部１ｂに取着固定された回り止め部材５により一方向クラッチ４の外輪４ａの回り止めが確実になされる。また、第１の嵌合孔３１からの一方向クラッチ４の外輪４ａの抜け止めがなされ、支持部１ｂの第１の嵌合孔３１内に嵌め込まれる一方向クラッチ４の外輪４ａの嵌合力が小さくても外れることがない。
【００２６】
次に、転がり式の一方向クラッチ４の一般的な動作は次の通りである。操作ノブ２７により操作杆２８と切換え部材２５が回動操作されて作動部２６が、図４の実線で示される位置に回動されると、環状保持部材４ｅのレバー４ｆが、時計方向に回動されて棒状転がり部材４ｄが自由回転域αに位置してクサビ作用しない非作動状態となるので、駆動筒軸６とロータ７との正回転及び逆回転が可能になる。
【００２７】
また、操作ノブ２７と操作杆２８と切換え部材２５が回動操作されて作動部２６が図４の２点鎖線で示される位置に回動されると、環状保持部材４ｅのレバー４ｆが反時計方向に回動されて棒状転がり部材４ｄが回転が阻止される阻止面βに位置してクサビ作用する作動状態となる。そこで、駆動筒軸６とロータ７の正回転では発条に抗して棒状転がり部材４ｄが時計方向に移動可能であるから正回転が可能であるが、逆回転で棒状転がり部材４ｄが阻止面βに当接してクサビ作用で逆回転が不可能になる。
【００２８】
前記魚釣用スピニングリールの動作は、操作ノブ２７と操作杆２８と切換え部材２５と環状保持部材４ｅが回動操作されて図４で実線の状態、つまり棒状転がり部材４ｄが自由回転域αでクサビ作用しない非作動状態になる。釣糸がスプール１３に巻回される方向にハンドル１１が回転されると、駆動歯車９が回転されて駆動筒軸６とロータ７が正回転される。さらに、小歯車９ａを介して往復動装置部１５が操作され、スプール軸１２とスプール１３が前後に往復動される。
【００２９】
釣糸がスプール１３に巻回される時は一方のベール支持部材１７に設けられた釣糸案内部のローラ２１で案内されて釣糸が前後に往復動されるスプール１３に平行に巻回される。
【００３０】
ロータ７の逆回転が防止される時は、操作ノブ２７と操作杆２８と切換部材２５と環状保持部材４ｅが回動操作されて図３で２点鎖線の棒状転がり部材４ｄが当接されて回転が阻止される阻止面βに位置してクサビ作用する作動状態に切り換えられる。獲物の引きで釣糸が繰り出されてロータ７が反時計方向に逆回転されると、駆動筒軸６とロータ７が逆回転させられるようになるが、棒状転がり部材４ｄが当接されて回転が阻止される阻止面βに位置しているので、クサビ作用で、その逆回転が阻止される。
【００３１】
前記転がり式一方向クラッチ４の転がり部材４ｄを保持する環状保持部材４ｅを回転可能に支持して環状保持部材４ｅに設けたレバー４ｆにリール本体１に支持した切換え部材２５の作動部２６を係合せしめて、転がり式一方向クラッチ４をクサビ作用する作動状態とクサビ作用しない非作動状態に切換可能としたので、棒状転がり部材４ｄのクサビ作用による逆転時の遊度がさらに少なくなることから極めて敏速にロータ７の逆回転が停止される。
【００３２】
図７及び図８は本発明の第２実施形態に係る魚釣用スピニングリールを示すものである。
この実施形態は前記軸受３及び一方向クラッチ４の他に第２の軸受３５を設け、一方向クラッチ４の前後に第１の軸受３と第２の軸受３５を配置し、この両軸受３，３５により駆動筒軸６を支持する。さらに第２の軸受３５は支持部１ｂとは別部材のリング状の保持部材３６内に嵌め込まれて保持固定されている。この保持部材３６は支持部１ｂと内径と外径が略同一の筒状部材からなり、これの周部の一部に形成した突周部３８に形成した複数の孔３９内に固定ねじ４１をそれぞれ差し込むと共に、この固定ねじ４１を前記支持部１ｂの前端壁にねじ込み固定することにより保持部材３６は支持部１ｂに固定される。４０は度当り部６ｂと歯部６ａの端の間に介在させるリングである。
【００３３】
そして、この実施形態では支持部１ｂの前端壁に取着される、回り止め部材５の取付け片５ｂを、この保持部材３６で押さえ付けて固定するようにしたものである。回り止め部材５の取付け片５ｂが位置決めされる支持部１ｂの前端壁にはその各取付け片５ｂが密に入り込む溝状の凹部３７が形成されている。凹部３７に各取付け片５ｂを嵌め込み、その上から保持部材３６の突周部３８を凹部３７内に重ねて嵌め込んで取付け片５ｂに当て支持部１ｂと保持部材３６の間に取付け片５ｂを挟み込んで取着固定する。また、前記第１実施形態と同様、取付け片５ｂの取付け孔５ｃに固定ねじ４１を挿通させてある。しかし、取付け片５ｂの位置から離れた個所に固定ねじ４１を挿通して凹部３７内に取付け片５ｂを位置させて支持部１ｂの前端壁と保持部材３６の間で挟み込むことによりその取付け片５ｂを固定するようにしてもよいものである。この場合にあっては取付け片５ｂを嵌め込んで位置させる別の溝状の係止用凹部を支持部１ｂ及び保持部材３６またはその一方に形成する。通常は支持部１ｂの方にのみ係止用凹部を設けるのがよい。
【００３４】
また、保持部材３６には支持部１ｂに設けた係止孔４２に嵌まり込む突起４３を設け、支持部１ｂに保持部材３６を重ね合わせたとき、係止孔４２に突起４３を嵌め込み係合させるようになっている。
【００３５】
この実施形態では回り止め部材５の取付け片５ｂを、支持部１ｂの前端壁と保持部材３６の間で挟み込んで固定するために、回り止め部材５を確実に固定することができる。また、一方向クラッチ４の前後に第１の軸受３と第２の軸受３５を配置する２軸受構造のものであるが、この形式の場合であっても他の組付け部材の邪魔にもならず、コンパクトな回り止め部材固定構造とすることができる。
【００３６】
一方向クラッチ４の前後に第１の軸受３と第２の軸受３５を配置する２軸受構造であるから、転がり式の一方向クラッチ４に実釣時の巻取り時又は逆転時にロータ７を介して駆動筒軸６に作用する不規則なこじる力が軽減され、駆動筒軸６の支持及び取付け精度が安定向上すると共に耐久性が改善され、転がり式の一方向クラッチ４のクサビ作用による高精度の逆転防止機能を安定して維持発揮出来る。
【００３７】
図９乃至図１１は本発明の第３実施形態に係る魚釣用スピニングリールを示すものである。
この実施形態は前記第３実施形態と同様、軸受３及び一方向クラッチ４の他に第２の軸受３５を設ける構造のものであるが、小径な支持部１ｂのものであり、このため、回り止め部材５の取付け片５ｂには固定ねじを貫通する孔を形成せずに図１１で示すように取付け片５ｂを短い突片とし、第２の軸受３５を保持する保持部材３６の端面と支持部１ｂの端面の間で取付け片５ｂを挟み込んで固定するようにしたものである。この場合にも支持部１ｂの端面にはその取付け片５ｂを密に嵌め込む溝状の凹部３７が形成されている。
【００３８】
この実施形態でも回り止め部材５の取付け片５ｂを、支持部１ｂの前端壁と保持部材３６の間で挟み込んで固定するために、回り止め部材５を確実に固定することができる。また、一方向クラッチ４の前後に第１の軸受３と第２の軸受３５を配置する２軸受構造において、他の組付け部材の邪魔にもならず、コンパクトな固定構造とすることができる。
【００３９】
なお、前述した各実施形態ではリール本体１の支持部１ｂの内周とこれに嵌め込む一方向クラッチ４の外輪４ａのそれぞれを断面非円形状に形成して回転方向に比較的緩く嵌合するように構成したが、それぞれを断面円形状に形成して、回転可能な状態に嵌合し、回り止め部材５のみで、外輪４ａの回り止めを行うようにしてもよい。また、前述した各実施形態では、スピニングリールに適用した例であるが、両軸リール等の他の形式のリールにも適用することができるものである。
【００４０】
【発明の効果】
以上説明したように本発明によれば、リール本体の支持部に保持する一方向クラッチの外輪の回り止めを別の回り止め部材で行うようにしたので、一方向クラッチの外輪の位置決めを容易に行うことができると共に、一方向クラッチの組付け状態が安定する。また、リール本体の支持部の嵌合部内に一方向クラッチの外輪を嵌め込む場合、強力に押し込んで嵌合させる必要性があまりなく、その組み付けが簡単であり、組立て作業性が向上すると共に、リール本体の支持部に対する一方向クラッチの外輪を強力に押し込んで嵌め込む必要性があまりないことから強力に押し込んで嵌め込む場合に生じやすい異常な変形現象、つまり嵌合部間の誤差が軸心のずれとして発現することを極力避けることができる。従って、高精度の加工が要求されず、回転駆動軸に対する同心度が損なわれず、転がり式一方向クラッチのクサビ作用による逆転遊度の少ない逆転防止機能が得られる。
【００４１】
また、一方向クラッチの外輪に加わる逆転時の強い負荷や衝撃力が、回り止め部材を介して一方向クラッチの外輪以外の部分に分散されるので、外輪の取付け部位に対する直接の負荷や衝撃力が緩和され、外輪の取付け部分の変形や摩耗が防止される。従って、保持器を回動させて転がり式一方向クラッチの切換え動作の安定化、及びガタツキのない高精度の逆転防止機能を常時、長期に維持できる。
さらに、リール本体の支持部や一方向クラッチの外輪等に比較的強度の弱い樹脂等の材料を用いることも可能となり、部品製作が安価になると共に、リール全体の軽量化も可能となる。
【図面の簡単な説明】
【図１】第１実施例に係る魚釣用スピニングリールの左側面図。
【図２】図１中、Ａ−Ａ線に沿う縦断面図。
【図３】前記魚釣用スピニングリールの要部を縦断して左側から見た拡大断面図。
【図４】図３中Ｂ−Ｂ線に沿って見た転がり式一方向クラッチの取付け部分の正面図。
【図５】（ａ）は前記魚釣用スピニングリールの転がり式一方向クラッチの部分を拡大して示す正面図、（ｂ）は回り止め部材の正面図。
【図６】前記魚釣用スピニングリールの分解斜視図。
【図７】第２実施形態に係る魚釣用スピニングリールの要部を縦断して左側から見た拡大断面図。
【図８】前記魚釣用スピニングリールの分解斜視図。
【図９】第３実施形態に係る魚釣用スピニングリールの要部を縦断して左側から見た拡大断面図。
【図１０】図９中Ｃ−Ｃ線に沿って見た転がり式一方向クラッチの取付け部分の正面図。
【図１１】（ａ）は前記魚釣用スピニングリールの転がり式一方向クラッチの部分を拡大して示す正面図、（ｂ）は回り止め部材の正面図。
【符号の説明】
１…リール本体、１ｂ…支持部、３…軸受、４…転がり式一方向クラッチ、
４ａ…外輪、４ｃ…内輪、４ｄ…転がり部材、４ｅ…環状保持部材、４ｆ…切換え用レバー、４ｇ…係止溝、５…回り止め部材、５ｂ…取付け片、６…駆動筒軸、７…ロータ、１１…ハンドル、２５…切換え部材、２６…作動部。
【図１】
0003860051.tif 000002
【図２】
0003860051.tif 000003
【図３】
0003860051.tif 000004
【図４】
0003860051.tif 000005
【図５】
0003860051.tif 000006
【図６】
0003860051.tif 000007
【図７】
0003860051.tif 000008
【図８】
0003860051.tif 000009
【図９】
0003860051.tif 000010
【図１０】
0003860051.tif 000011
【図１１】
0003860051.tif 000012